(57)【要約】      （修正有）【課題】釣り上げた玩具自体で遊べる余地が大きいため、子供に興味を湧かせることができる釣り遊び玩具を提供する。【解決手段】釣り上げる対象となる玩具２（以下、「対象玩具」という。）と、釣竿を模した玩具（以下、「釣竿玩具」という。）とを備え、釣竿玩具で対象玩具２を釣り上げる釣り遊び玩具であって、対象玩具２が分割体２１、２２、２３、２４から構成され、分割体２１、２２、２３、２４は、それぞれ、本体部２１ａ、２２ａ、２３ａ、２４ａと、面ファスナー２７ａ、２７ｂ、２８ａ、２８ｂ、２９ａ、２９ｂとを備え、対象玩具２が、分割体２１、２２、２３、２４を面ファスナー２７ａ、２７ｂ、２８ａ、２８ｂ、２９ａ、２９ｂで分離自在に連結することにより構成される釣り遊び玩具。【選択図】図３
0003113954.tif 000002
【実用新案登録請求の範囲】
【請求項１】
釣り上げる対象となる玩具（以下、「対象玩具」という。）と、釣竿を模した玩具（以下、「釣竿玩具」という。）とを備え、前記釣竿玩具で前記対象玩具を釣り上げる釣り遊び玩具であって、
前記対象玩具が、複数の分割体から構成され、
前記各分割体は、本体部と、前記本体部に取着された面ファスナーとを備え、
前記対象玩具が、複数の前記分割体を前記面ファスナーで分離自在に連結することにより構成される
ことを特徴とする釣り遊び玩具。
【請求項２】
前記対象玩具が備える前記面ファスナーのうちの少なくとも一部の前記面ファスナーが、前記本体部に回動自在に取着されていることを特徴とする請求項１記載の釣り遊び玩具。
【請求項３】
前記本体部が、外皮が布製で内部にクッション材が詰められたもので構成されていることを特徴とする請求項１記載の釣り遊び玩具。
【請求項４】
前記面ファスナーが取着されている連結部が、布製のテープ状であることを特徴とする請求項３記載の釣り遊び玩具。
【請求項５】
前記対象玩具に設けられた金属部を、前記釣竿玩具に設けられた磁石で吸着することにより、前記対象玩具を前記釣竿玩具で釣り上げる請求項１記載の釣り遊び玩具であって、
前記磁石がクッション材で被覆されていることを特徴とする釣り遊び玩具。
【考案の詳細な説明】
【技術分野】
【０００１】
本考案は、釣竿を模した玩具で魚等を模した玩具を釣り上げる釣り遊び玩具に関する。
【背景技術】
【０００２】
従来から、釣り遊び玩具として、釣竿を模した玩具に磁石を吊設する一方、合成樹脂製や木製の魚、イカ、蛸等を模した玩具に金属部分を設けて、磁石に金属部分を吸着させて釣り上げるものが知られている。
【０００３】
なお、先行技術文献調査は行っていないので、記載すべき先行技術文献情報は無い。
【考案の開示】
【考案が解決しようとする課題】
【０００４】
しかし、従来の釣り遊び玩具は、魚等を模した玩具が一体的に形成されているため、せっかく玩具を釣り上げても、釣り上げた玩具自体で遊べる余地が少ないことから、子供に興味を湧かせることができないという問題があった。
【０００５】
この考案は、上述した問題を解決するものであり、釣り上げた玩具自体で遊べる余地が大きいため、子供に興味を湧かせることができる釣り遊び玩具を提供することを目的とする。
【課題を解決するための手段】
【０００６】
本考案の釣り遊び玩具は、釣り上げる対象となる玩具（以下、「対象玩具」という。）と、釣竿を模した玩具（以下、「釣竿玩具」という。）とを備え、釣竿玩具で対象玩具を釣り上げるものであって、対象玩具が、複数の分割体から構成され、各分割体は、本体部と、本体部に取着された面ファスナーとを備え、対象玩具が、複数の分割体を面ファスナーで分離自在に連結することにより構成されることを特徴とする。
【０００７】
ここで、対象玩具が備える面ファスナーのうちの少なくとも一部の面ファスナーが、本体部に回動自在に取着されていることとしてもよい。
【０００８】
また、本体部が、外皮が布製で内部にクッション材が詰められたもので構成されていることとしてもよい。
【０００９】
さらに、面ファスナーが取着されている連結部が、布製のテープ状であることとしてもよい。
【００１０】
また、対象玩具に設けられた金属部を、釣竿玩具に設けられた磁石で吸着することにより、対象玩具を釣竿玩具で釣り上げる釣り遊び玩具であって、磁石がクッション材で被覆されていることが好ましい。
【考案の効果】
【００１１】
本考案の釣り遊び玩具は、対象玩具が面ファスナーで連結される複数の分割体から構成されているので、対象玩具を組み替えて遊ぶことができ、釣り上げた対象玩具自体で遊べる余地が大きいため、子供に興味を湧かせることができる。
【００１２】
また、面ファスナーを回動自在に取着すれば、対象玩具に動きが出るので、より子供に興味を湧かせることができる。
【００１３】
また、本体部を、外皮が布製で内部にクッション材が詰められたもので構成すれば、持ったときの感触が柔らかいので、子供が対象玩具の感触を楽しむことができる。
【００１４】
さらに、面ファスナーが取着されている連結部を布製のテープ状とすれば、釣り上げる際に対象玩具がひらひらと動くので、より子供に興味を湧かせることができる
また、釣竿玩具に設けられた磁石をクッション材で被覆すれば、子供が釣竿玩具を振り回しても、磁石が直接子供に当たって痛い思いをさせる虞がない。
【考案を実施するための最良の形態】
【００１５】
以下、本考案の一実施形態を図面に基づいて説明する。
【００１６】
図１〜図５に示すように、本実施形態の釣り遊び玩具は、釣竿玩具１と、対象玩具２、３とを備えている。
【００１７】
釣竿玩具１は、図１に示すように、竿部１１と、リール部１２と、紐１３と、吸着部１４とから構成されている。
【００１８】
竿部１１は、木製で丸棒状に形成され、先端部に孔１５が穿設されている。
【００１９】
リール部１２は、竿部１１の基端部１６に近い側に取着されている。リール部１２は、竿部１１が挿通された固定部１２ａと、固定部１２ａに対して回動自在に取着された回動部１２ｂとから構成されている。
【００２０】
紐１３は、一端側がリール部１２の回動部１２ｂに巻着され、他端側が孔１５に挿通されている。
【００２１】
吸着部１４は、紐１３の他端側の先端に取着されている。吸着部１４は、布で外皮を形成し、内部にクッション材（本実施形態ではプラスチックビーズ）を詰め、そのクッション材の中に磁石１７を埋設したものである。すなわち、磁石１７はクッション材で被覆された状態とされている。
【００２２】
対象玩具２は、図２及び図３に示すように、魚を模したものであり、４つの分割体２１、２２、２３、２４から構成される。以下、図３の紙面における左右を、対象玩具２の左右として説明する。
【００２３】
分割体２１は、本体部２１ａと、本体部２１ａに取着された金属部２５と面ファスナー２７ａとを備えている。金属部２５は、金属製の鋲からなる。面ファスナー２７ａは、本体部２１ａの右端から突設された突出片２１ｂの後面に取着されることにより、突出片２１ｂを介して本体部２１ａに取着されている。
【００２４】
分割体２２は、本体部２２ａと、本体部２２ａに取着された面ファスナー２７ｂ、２８ａとを備えている。面ファスナー２７ｂは、面ファスナー２７ａと雌雄が逆であり、本体部２２ａの左端から突設された突出片２２ｂの前面に取着されることにより、突出片２２ｂを介して本体部２２ａに取着されている。面ファスナー２８ａは、本体部２２ａの右端から突設された突出片２２ｃの後面に取着されることにより、突出片２２ｃを介して本体部２２ａに取着されている。
【００２５】
分割体２３は、本体部２３ａと、本体部２３ａに取着された面ファスナー２８ｂ、２９ａとを備えている。面ファスナー２８ｂは、面ファスナー２８ａと雌雄が逆であり、本体部２３ａの左端から突設された突出片２３ｂの前面に取着されることにより、突出片２３ｂを介して本体部２３ａに取着されている。面ファスナー２９ａは、本体部２３ａの右端から突設された突出片２３ｃの後面に取着されることにより、突出片２３ｃを介して本体部２３ａに取着されている。
【００２６】
分割体２４は、本体部２４ａと、本体部２４ａに取着された金属部２６と面ファスナー２９ｂとを備えている。金属部２６は、金属製の鋲からなる。面ファスナー２９ｂは、面ファスナー２９ａと雌雄が逆であり、本体部２４ａの左端から突設された突出片２４ｂの前面に取着されることにより、突出片２４ｂを介して本体部２４ａに取着されている。
【００２７】
本体部２１ａ、２２ａ、２３ａ、２４ａは、いずれも、外皮が布製で内部にクッション材（本実施形態では、綿）が詰められたもので構成されている。
【００２８】
突出片２１ｂ、２２ｂ、２２ｃ、２３ｂ、２３ｃ、２４ｂは、いずれも、布製のテープ状であり、分割体２１、２２、２３、２４を連結する際の連結部となる。
【００２９】
そして、面ファスナー２７ａと面ファスナー２７ｂ、面ファスナー２８ａと面ファスナー２８ｂ、面ファスナー２９ａと面ファスナー２９ｂとを、それぞれ、接合することにより、分割体２１、２２、２３、２４が連結されて、対象玩具２が構成される。
【００３０】
対象玩具３は、図４及び図５に示すように、魚を模したものであり、３つの分割体３１、３２、３３から構成される。以下、図５の紙面における左右を、対象玩具３の左右として説明する。
【００３１】
分割体３１は、本体部３１ａと、本体部３１ａに取着された金属製の鋲からなる金属部３４と、本体部３１ａの右端部の後面に取着された面ファスナー３６ａとを備えている。
【００３２】
分割体３２は、本体部３２ａと、本体部３２ａの左端部の前面に取着された面ファスナー３６ｂと、本体部３２ａの右端部の前面に取着された３７ａとを備えている。面ファスナー３６ｂは、面ファスナー３６ａと雌雄が逆である。
【００３３】
分割体３３は、本体部３３ａと、本体部３３ａに取着された金属製の鋲からなる金属部３５と、本体部３３ａの左端部の後面に取着された面ファスナー３７ｂとを備えている。面ファスナー３７ｂは、面ファスナー３７ａと雌雄が逆である。
【００３４】
本体部３１ａ、３２ａ、３３ａは、いずれも、木製の板の両面に、模様等が印刷された紙を貼着したもので構成されている。
【００３５】
面ファスナー３６ａ、３６ｂ、３７ａ、３７ｂは、それぞれ、鋲３８、３９、４０、４１により、本体部３１ａ、３２ａ、３３ａに対して回動自在に取着されている。
【００３６】
そして、面ファスナー３６ａと面ファスナー３６ｂ、面ファスナー３７ａと面ファスナー３７ｂとを、それぞれ、接合することにより、分割体３１、３２、３３が連結されて、対象玩具３が構成される。
【００３７】
以上のように構成された釣り遊び玩具で遊ぶときは、遊戯者は、釣竿玩具１の基端部１６を把持して、吸着部１４を対象玩具２、３が置かれたスペースに垂下し、吸着部１４内の磁石１７の磁力により、金属部２５、２６、３４、３５のいずれかを吸着する。そして、リール部１２の回動部１２ｂを回動して紐１３を巻き取り、対象玩具２または対象玩具３を釣り上げる。
【００３８】
対象玩具２は、面ファスナー２７ａ等の接合を解除すれば、分割体２１、２２、２３、２４に分割される。そして、例えば、面ファスナー２７ａと面ファスナー２８ｂ、面ファスナー２９ａと面ファスナー２７ｂ、面ファスナー２８ａと面ファスナー２９ｂとを接合して、分割体２１、２３、２２、２４の順に連結する等、組み替えて遊ぶことができる。
【００３９】
また、対象玩具３も、面ファスナー３６ａ等の接合を解除すれば、分割体３１、３２、３３に分割され、対象玩具２と同様に、組み替えて遊ぶことができる。
【００４０】
このように、対象玩具２、３は、対象玩具自体で遊べる余地が大きいため、子供に興味を湧かせることができる。
【００４１】
また、対象玩具２は、本体部２１ａ等が、外皮が布製で内部にクッション材を詰めたもので構成されているので、手触りがよい。このため、子供が対象玩具２の感触を楽しむことができる。また、連結部である突出片２１ｂ等が布製のテープ状であり、可撓性を有することから、釣り上げる際に対象玩具２がひらひらと動く。このため、子供に興味を湧かせることができる。
【００４２】
また、対象玩具３は、面ファスナー３６ａ等が回動自在に本体部３１ａ等に取着されているので、図４の矢印Ａ、Ｂに示すように、分割体３１、３２、３３が連結部分を中心に回動する。したがって、釣り上げる際等に対象玩具３に動きが出るので、より子供に興味を湧かせることができる。
【００４３】
また、釣竿玩具１に設けられた磁石１７はクッション材で被覆されているので、子供が釣竿玩具１を振り回しても、磁石１７が直接子供に当たって痛い思いをさせる虞がない。
【００４４】
なお、本実施形態の対象玩具３では、全ての面ファスナー３６ａ、３６ｂ、３７ａ、３７ｂを回動自在に取着したが、例えば、面ファスナー３６ｂ、３７ａのみを回動自在に取着したり、面ファスナー３６ｂ、３７ｂのみを回動自在に取着したりする等、一部の面ファスナーのみを回動自在に取着することとしてもよい。すなわち、面ファスナー３６ａ、３６ｂ、３７ａ、３７ｂのうちの少なくとも一部の面ファスナーが、回動自在に取着されていればよい。
【００４５】
また、対象玩具２、３はいずれも魚を模したが、イカ、蛸、海老等を模してもよいし、長靴、空き缶等生物でないものを模してもよい。また、合成樹脂で対象玩具２、３を形成してもよい。
【００４６】
すなわち、実用新案登録請求の範囲を逸脱しない範囲で、本考案は種々の構成を採り得る。
【図面の簡単な説明】
【００４７】
【図１】本考案に係る釣竿玩具の一実施形態の斜視図である。
【図２】本考案に係る対象玩具の一実施形態の正面図である。
【図３】本考案に係る対象玩具の一実施形態の分解正面図である。
【図４】本考案に係る対象玩具の他の実施形態の正面図である。
【図５】本考案に係る対象玩具の他の実施形態の分解正面図である。
【符号の説明】
【００４８】
１…釣竿玩具
２、３…対象玩具
１７…磁石
２１、２２、２３、２４、３１、３２、３３…分割体
２５、２６、３４、３５…金属部
２１ａ、２２ａ、２３ａ、２４ａ、３１ａ、３２ａ、３３ａ…本体部
２１ｂ、２２ｂ、２２ｃ、２３ｂ、２３ｃ、２４ｂ…突出片（連結部）
２７ａ、２７ｂ、２８ａ、２８ｂ、２９ａ、２９ｂ、３６ａ、３６ｂ、３７ａ、３７ｂ…面ファスナー                                                                                 
【図１】
0003113954.tif 000003
【図２】
0003113954.tif 000004
【図３】
0003113954.tif 000005
【図４】
0003113954.tif 000006
【図５】
0003113954.tif 000007